(57)【要約】      （修正有）【課題】基礎杭の杭頭に対するヤットコ の装着及び解除作業を短時間で行うことが出来る装置を提供する。【解決手段】その要旨は、施工のための回転力を利用して、杭頭の内周面を押し広げて把持するバッド付きカム板を歯車と偏心軸とカム作用とによって開閉し、固定するように構成したことを特徴とする基礎杭用ヤットコにある。【選択図】図１
2006322151.tif 000002
【特許請求の範囲】
【請求項１】
杭頭の内周面を押し広げて把持するバッド付きカム板が開閉自在となるようヤットコ 本体に枢着するとゝもに、前記カム板を回転力のみで、カム作用で開閉し固定するように構成したことを特徴とする基礎杭用ヤットコ 。
【請求項２】
請求項１の基礎杭用ヤットコにおいて、杭頭の内周面を押し広げて把持するバッド付きカム板の原点を、左右回転でどちらに把持し施工しても、捻りばねの原点で、復元確保する基礎杭用ヤットコ 。
【請求項３】
請求項１の基礎杭用ヤットコにおいて、杭頭の内周面を押し広げて把持する偏心した回転軸の原点を、左右回転でどちらに把持し施工しても、捻りばねの原点で、復元確保する基礎杭用ヤットコ 。
【発明の詳細な説明】
【技術分野】
【０００１】
本発明は、基礎杭を地中に打ち込む際に、その杭頭に連結して基礎杭の先端を支持地盤まで打ち込むために使用するヤットコ 、更に詳しくは、杭頭に対し着脱自在としたヤットコ に関する。
【背景技術】
【０００２】
基礎杭用ヤットコには、杭頭を把持し着脱自在となる装置を備えたものがあるが、この種従来の着脱装置は、杭外形より大きな装置として形成されていて、使用に当たっては、杭頭に軸や強め材を追加加工して用いなければならいものであった、
【０００３】
或いは、大きな回転力を伝えられないという欠点があった。
【特許文献１】特公平７−１０３５６６号公報
【特許文献２】特公平７−１０３５６５号号公報
【特許文献３】特公平７−１０３５６４号公報
【発明の開示】
【発明が解決しようとする課題】
【０００４】
解決しようとする問題点は、なにも加工いていない杭頭を、杭の内径に入ったままで、把持が出来るヤットコにおいて、施工のための回転力のみで強固に確実に、把持脱着する。
【課題を解決するための手段】
【０００５】
本発明は、上記のような従来の諸問題点を解決するために成されたもので、基礎杭の杭頭に対するヤットコ の装着及び解除作業を、短時間で行うことが出来るものを提供することを目的としたものであり、その要旨は、杭頭の内周面を押し広げて把持するバッド付きカム板を、施工のための回転力を使って歯車と偏心軸とカム作用とで開閉し固定するように構成したことを特徴とする基礎杭用ヤットコにある。
【発明の効果】
【０００６】
本発明に係る基礎杭用ヤットコ は、上記のように、杭頭の内周面を挟持するバッド付きカム板の把持接触面が回転で出入り自在となるようヤットコ 本体に枢着するとゝもに、施工のための回転力のみで、カム作用で固定する構成であるから、基礎杭の杭頭に対するヤットコ の把持及び解除作業を、他の駆動源を必要とせず、安全に且つ短時間で行うことが出来るとゝもに、反復使用できる効果がある。
【発明を実施するための最良の形態】
【０００７】
基礎杭の杭頭に加工物を設置することなく、杭頭の内周面を押し広げて及び解除作業を、現状の基礎杭の杭頭に加工物を設置することなく、施工用の回転力を使って実現した。
【実施例１】
【０００８】
図１は、本発明に係る基礎杭用ヤットコ の１実施例を示した全体説明図であり、１枚目カム板（１０）は、回転軸（１００）の図５に示す中央ねじ部(１０１)で回転自在に設置していて、２枚目カム板（２０）は、回転軸（１００）の図７に示す中央偏心軸部(１０２)で回転自在に設置していて、１枚目カム板（１０）には、２枚目カム板用支持軸（５０）が具備してあり、１枚目カム板（１０）と、２枚目カム板（２０）は２枚目カム板用支持軸（５０）で、長穴に挿入して、出入自在に設置してある。
【０００９】
その下側には、３枚目カム板（３０）、４枚目カム板（４０）が設置してあり、４枚目カム板（４０）は、１枚目カム板（１０）と同じで、３枚目カム板（３０）は、２枚目カム板（２０）と同じで、図１０に示す、中央偏心軸部(１０３)が、中央偏心軸部(１０２)の設置位置と３枚目カム板用支持軸（５１）と２枚目カム板用支持軸（５０）の設置位置を杭頭（２５０）の内面に各カム板がバランス良く把持するように変えて設置している。
【００１０】
カム板（１０）、（２０）、（３０）、（４０）は、１枚目カム板（１０）の上面には、さらばね（７０）と停止板（１４０）が設置してあり、４枚目カム板（４０）の下面には、さらばね（６０）と停止板（８０）が設置してあり停止板（１４０）は回転軸（１００）のフランジ部（１０４）と、ナット（９０）の間で脱着自在に設置してある。
【００１１】
フランジ部（１０４）上部には、軸受け（１１０）、軸受け（１１１）がホルダー（１２０）の中に脱着自在に設置して回転軸（１００）を回転自在になり、ホルダー（１２０）と、１枚目カム板（１０）は、捻りばね（１３０）で連結されて回転軸（１００）の回転を止めてあり、捻りばね（１３０）は左右回転出来るように設置してある。
【００１２】
ホルダー（１２０）の外側には軸受け（１５１）が、ヤットコ本体（１５０）に具備されていてホルダー荷重面（１２２）で回転自在に設置してあり上部には図２に示す内歯車が
具備されて、回転軸（１００）上部に設置したピニオン（１６０）が噛み合わされている。
【００１３】
ヤットコ本体（１５０）上部には軸受け（２４０）が具備されて本体（２３０）と強固に連結いてある上部軸受けホルダー（２００）が連結ピン（２２０）によって一体となっていて、前記ピニオン（１６０）は、座金（１８０）、さらばね（１９０）を挿入してかつ偏心した回転軸（１００）上部をナット（２１０）ナットで着脱自在に設置し、回転軸はピニオン（１６０）とともに一体となり回転できるようになっている。
【００１４】
図１に示すピニオン（１６０）とホルダー（１２０）の間にねじりばね（１７０）が設置連結されてピニオン（１６０）とホルダー（１２０））の回転を止めてあり、捻りばね（１７０）は左右回転出来るように設置してあり図３に示すごとくねじりばねガイド（１３１）で、ねじりばね（１７０）を囲んでいる。
【００１５】
ヤットコ（１５０）を、杭頭（２５０）の管内に、上部より挿入してホルダー設置位置（１２１）に設置後、本体の荷重はホルダー荷重面（１２２）、ホルダー設置位置（１２１）、杭頭（２５０）と伝達させ、トルクは図２に示すごとく内歯車（１５２）、ピニオン（１６０）、回転軸（１００）と伝達し前記１枚目カム板（１０）、２枚目カム板（２０）、３枚目カム板（３０）、４枚目カム板（４０）、杭頭（２５０）内面と伝達する。
【００１６】
カム板から杭頭（２５０）内面の伝達は、図５に示す１枚目カム板（１０）は、１枚目カム板本体（１１）、１枚目カム板クランプ（１２）、１枚目カム板パッド（１３）、（１４）、２枚目カム板用支持軸（５０）と回転軸中央ねじ部（１０１）が具備されていて、ねじりばね（１３０）が連結されて構成され回転軸（１００）は回転すると図６に示すごとく杭頭（２５０）の内面に接触して、図７に示す２枚目カム板（２０）は２枚目カム板本体（２１）、２枚目カム板パッド（２２）、２枚目カム板パッド（２３）と一体になって回転軸（１００）の中央偏心軸部(１０２)に回転自在になって図８に示す位置に回転してさらに回転軸（１００）が回転することにより図９の回転位置で杭頭（２５０）の内面に接触しする。
【００１７】
このとき図１に示す４枚目カム板（４０）は、図５に示す１枚目カム板（１０）と同位置にあり図１０に示す３枚目カム板（３０）は、２枚目カム板（２０)同様の動きをするも設置位置が図１０の状態から図１１の状態で、４枚目カム板（４０）は図６に示す位置で
杭頭（２５０）の内面に接触しさらに図１２に示す位置に回転して杭頭（２５０）の内面に接触しするとカム板（１０）から（４０）は杭頭（２５０）の内面に三方向に広範囲に押し広げて把持する。
【００１８】
この把持はカム板（２０）、（３０）と杭頭（２５０）の内面にたいして、中央偏心軸部(１０２)、(１０３)が食い込む事になり強固な把持となり、逆回転すると杭頭の内周面にからはずれて把持の解除作業が行われる。
【００１９】
本発明の他の一つは、ねじりばね（１３０）を図１、図４、図４、に示すごとく、ホルダー（１２０）と１枚目カム板（１０）を連結する事により把持の解除作業時に本体（２３０）にトルクを戻して原点に正確に戻さなくても、杭頭の内周面にからカム板（１０）から（４０）が接触からはずれれば、ねじりばね（１３０）の弾性により図５に示す位置に１枚目カム板（１０）が戻り回転軸（１００）が原点に復元するばねを設置していることである。
【００２０】
本発明の他の一つは、ねじりばね（１７０）を図３に示すごとく、設置しピニオン（１６０）とホルダー（１２０）連結し、ねじりばねガイド（１３１）する事により把持の解除作業時に本体（２３０）にトルクを戻して原点に正確に戻さなくても、杭頭の内周面にからカム板（１０）から（４０）が接触がはずれれば、ねじりばね（１７０）の弾性により図２に示す位置にピニオン（１６０）が戻り回転軸（１００）が原点に復元するばねを設置していることである。
【００２１】
本体（２３０）を引きあげると、前記ねじりばね（１７０）の効果で本体（２３０）の中心に対して図２に示す原点位置に回転軸（１００）があり図５に示す県展位置に１枚目カム板（１０）が有り全体が姿勢を保つので、簡単に脱着挿入を実現する事ができる。
【図面の簡単な説明】
【００２２】
【図１】本発明に係る基礎杭用ヤットコ の１実施例を示した全体説明図である。
【図２】同ヤットコの上部回転駆動部の断面図である。
【図３】同ヤットコの上部捻りばねの設置断面図である。
【図４】同ヤットコの下部捻りばねの設置断面図である。
【図５】同ヤットコの１枚目カム板部原点の断面図である。
【図６】同ヤットコの１枚目カム板部管内径接触時の断面図である。
【図７】同ヤットコの２枚目カム板部原点の断面図である。
【図８】同ヤットコの２枚目カム板部追従回転最終の断面図である。
【図９】同ヤットコの２枚目カム板部管内径接触時の断面図である。
【図１０】同ヤットコの３枚目カム板部原点の断面図である。
【図１１】同ヤットコの３枚目カム板部追従回転最終の断面図である。
【図１２】同ヤットコの３枚目カム板部管内径接触時の断面図である
【符号の説明】
【００２３】
１０    １枚目カム板
１１    １枚目カム板本体
１２    １枚目カム板クランプ
１３    １枚目カム板パッド
１４    １枚目カム板パッド
１５    １枚目カム板パッドクランプ
２０    ２枚目カム板
２１    ２枚目カム板本体
２２    ２枚目カム板パッド
２３    ２枚目カム板パッド
３０    ３枚目カム板
４０    ４枚目カム板
５０    ２枚目カム板用支持軸
５１    ３枚目カム板用支持軸
６０    さらばね
７０    さらばね
８０    停止板
９０    ナット
１００    回転軸
１０１    回転軸中央ねじ部
１０２    中央偏心軸部
１０３    中央偏心軸部
１０４    フランジ部
１１０    軸受け
１１１    軸受け
１２０    ホルダー
１２１    ホルダー設置位置
１２２    ホルダー荷重面
１３０    捻りばね
１３１    捻りばねガイド
１４０    停止板
１５０    ヤットコ本体
１５１    軸受け
１５２    内歯車
１６０    ピニオン
１７０    捻りばね
１８０    座金
１９０    さらばね
２００    上部軸受けホルダー
２１０    ナット
２２０    連結ピン
２３０    本体
２４０    軸受け
２５０    杭頭
【図１】
2006322151.tif 000003
【図２】
2006322151.tif 000004
【図３】
2006322151.tif 000005
【図４】
2006322151.tif 000006
【図５】
2006322151.tif 000007
【図６】
2006322151.tif 000008
【図７】
2006322151.tif 000009
【図８】
2006322151.tif 000010
【図９】
2006322151.tif 000011
【図１０】
2006322151.tif 000012
【図１１】
2006322151.tif 000013
【図１２】
2006322151.tif 000014